(57)【要約】【課題】端末により宅内の環境変化について通知を受けたユーザが、より詳細な情報を確認することを可能とする。【解決手段】機器情報取得部１０２は機器３から機器の状態を状態情報として取得する。通知条件判定部１０４は設定記憶部１０３に記憶された設定と、取得した状態情報とを比較して、通知すべきか否かを判定する。第１の画面情報生成部１０５は通知をし、ユーザへの操作を促す第１の画面を表示するために必要な第１の画面情報を生成する。第１の操作情報取得部１０７は、ユーザの操作情報を第１の操作情報として端末４から取得して第１の操作情報に第２の画面への遷移操作に係る情報が含まれるかを判定する。第２の画面情報生成部１０８は、第２の画面へ遷移すべき場合に、状態情報に基づいて、詳細情報をユーザに提示するための第２の画面の表示に必要な第２の画面情報を生成し、端末４に送信する。【選択図】図２
2018191082.tif 000002
【特許請求の範囲】
【請求項１】
機器から状態情報を取得する機器情報取得部と、
端末への報知の判断条件となる通知条件を記憶する設定記憶部と、
前記状態情報と前記通知条件とを比較して通知をすべきか否かを判定する通知条件判定部と、
前記通知条件判定部が通知をすべきと判定した場合に、前記端末に表示される第１の画面に用いられ、前記端末に送信される第１の画面情報を生成する第１の画面情報生成部と、
前記第１の画面に対する操作情報である第１の操作情報を、前記端末から取得する第１の操作情報取得部と、
前記端末に表示される第２の画面に用いられ、前記端末に送信される第２の画面情報を前記第１の操作情報に基づいて生成する第２の画面情報生成部と、
を備え、
前記第１の画面は、前記通知条件を満たした旨の通知表示及び前記第２の画面への遷移操作をユーザに促す表示を含み、
前記第２の画面は、前記通知条件に関連する情報の表示を含む、
情報表示制御装置。
【請求項２】
前記第２の画面は更に、前記機器に関連する情報の表示を含む、
請求項１に記載の情報表示制御装置。
【請求項３】
前記状態情報に基づいて制御すべき機器の情報を制御対象機器情報として抽出する制御機器情報抽出部と、
前記第２の画面に対する操作情報である第２の操作情報を、前記端末から取得する第２の操作情報取得部と、
前記第２の操作情報に基づいて前記制御すべき機器を制御する機器制御部と、
を更に備え、
前記第２の画面は更に、前記制御対象機器情報に関する表示及び前記制御すべき機器の制御操作をユーザに促す表示を含む、
請求項１に記載の情報表示制御装置。
【請求項４】
前記第１の画面は更に、前記制御対象機器情報に関する表示を含む、
請求項３に記載の情報表示制御装置。
【請求項５】
前記第１の画面は更に、前記制御すべき機器が存在する部屋の情報の表示を含む、
請求項３または４に記載の情報表示制御装置。
【請求項６】
前記状態情報に基づいて制御すべき機器の情報を制御対象機器情報として抽出する制御機器情報抽出部と、
前記第２の画面に対する操作情報である第２の操作情報を、前記端末から取得する第２の操作情報取得部と、
前記端末に表示される第３の画面に用いられ、前記端末に送信される第３の画面情報を前記制御対象機器情報に基づいて生成する第３の画面情報生成部と、
前記第３の画面に対する操作情報である第３の操作情報を、前記端末から取得する第３の操作情報取得部と、
前記第３の操作情報に基づいて前記制御すべき機器を制御する機器制御部と、
を更に備え、
前記第２の画面は更に、前記制御対象機器情報に係る機器のうち制御対象とする機器の選択をユーザに促す表示を含み、
前記第２の操作情報にはユーザが選択した機器の情報が含まれ、
前記第３の画面は前記ユーザが選択した機器の制御をユーザに促す表示を含む、
請求項１に記載の情報表示制御装置。
【請求項７】
前記第２の画面は更に、前記制御対象機器情報に係る機器の位置情報の表示を含む、
請求項６に記載の情報表示制御装置。
【請求項８】
前記第２の画面は更に、前記制御対象機器情報に係る機器が存在する部屋の位置情報の表示を含む、
請求項６または７に記載の情報表示制御装置。
【請求項９】
前記第３の画面は更に、ユーザに操作させるのが望ましい項目を強調する表示を含む、
請求項６から８のいずれか１項に記載の情報表示制御装置。
【請求項１０】
前記第１の画面は更に、前記制御対象機器情報に関する表示を含む、
請求項６から９のいずれか１項に記載の情報表示制御装置。
【請求項１１】
前記第１の画面は更に、前記制御対象機器情報に係る機器が存在する部屋の情報の表示を含む、
請求項６から１０のいずれか１項に記載の情報表示制御装置。
【請求項１２】
前記機器を自動で制御するための制御内容を生成する制御内容生成部と、
前記通知条件判定部が通知をすべきと判定する場合、前記制御内容に基づいて前記機器を自動で制御する機器制御部と、
を更に備え、
前記第１の画面は更に、前記機器を自動で制御した旨の表示を含み、
前記第２の画面は更に、前記制御内容に関する表示を含む、
請求項１に記載の情報表示制御装置。
【請求項１３】
前記第１の画面は更に、自動制御した前記機器の情報の表示を含む、
請求項１２に記載の情報表示制御装置。
【請求項１４】
前記第１の画面は更に、前記制御内容に関する表示を含む、
請求項１２または１３に記載の情報表示制御装置。
【請求項１５】
前記機器を制御するための制御内容を生成する制御内容生成部と、
前記第１の操作情報が前記第２の画面に遷移するための操作に係る情報を含む場合、前記制御内容に基づいて前記機器を制御する機器制御部と、
を更に備え、
前記第１の画面は更に、前記制御内容に関する表示及び前記機器を前記制御内容に基づいて制御するか否かをユーザに問い合わせる旨の表示を含み、
前記第２の画面は更に、前記制御内容に関する表示を含む、
請求項１に記載の情報表示制御装置。
【請求項１６】
端末と通信可能なサーバとの間で通信を行う情報表示制御装置であって、
機器から状態情報を取得する機器情報取得部と、
前記端末への報知の判断条件となる通知条件を記憶する設定記憶部と、
前記状態情報と前記通知条件とを比較して通知をすべきか否かを判定する通知条件判定部と、
前記通知条件判定部が通知をすべきと判定した場合に、前記端末に表示される第１の画面に用いられ、前記サーバに送信される第１の画面情報を生成する第１の画面情報生成部と、
前記第１の画面に対する操作情報である第１の操作情報を前記サーバから取得する第１の操作情報取得部と、
前記端末に表示される第２の画面に用いられ、前記サーバに送信される第２の画面情報を前記第１の操作情報に基づいて生成する第２の画面情報生成部と、
を備え、
前記第１の画面は、前記通知条件を満たした旨の通知表示及び前記第２の画面への遷移操作をユーザに促す表示を含み、
前記第２の画面は、前記通知条件に関連する情報の表示を含み、
前記サーバは、前記情報表示制御装置から取得した前記第１の画面情報及び前記第２の画面情報を前記端末に転送し、前記第１の操作情報を前記端末から取得して前記情報表示制御装置に転送する、
情報表示制御装置。
【請求項１７】
端末及び請求項１６に記載の情報表示制御装置との間で通信を行うサーバであって、
前記情報表示制御装置から前記第１の画面情報を取得して前記端末に転送する第１の画面情報転送部と、
前記情報表示制御装置から前記第２の画面情報を取得して前記端末に転送する第２の画面情報転送部と、
前記端末から前記第１の操作情報を取得して前記情報表示制御装置に転送する第１の操作情報転送部と、
を備えるサーバ。
【請求項１８】
請求項１から１５のいずれか１項に記載の情報表示制御装置と、
前記情報表示制御装置と通信を行い、前記情報表示制御装置から取得した画面情報に基づいて画面を表示し、入力された操作情報を前記情報表示制御装置に送信する端末と、
を備える情報表示システム。
【請求項１９】
請求項１６に記載の情報表示制御装置と、
請求項１７に記載のサーバと、
を備え、
前記情報表示制御装置と前記サーバとが互いに通信を行う、
情報表示制御システム。
【請求項２０】
コンピュータが、
機器から状態情報を取得する機器情報取得ステップと、
前記状態情報に基づいて通知をすべきか否かを判定する通知条件判定ステップと、
前記通知条件判定ステップで通知をすべきと判定した場合に、第１の画面に用いられる第１の画面情報を生成する第１の画面情報生成ステップと、
前記第１の画面に対する操作情報である第１の操作情報を取得する第１の操作情報取得ステップと、
第２の画面に用いられる第２の画面情報を前記第１の操作情報に基づいて生成する第２の画面情報生成ステップと、
を実行し、
前記第１の画面は、通知条件を満たした旨の通知表示及び前記第２の画面への遷移操作をユーザに促す表示を含み、
前記第２の画面は、前記通知条件に関連する情報の表示を含む、
情報表示方法。
【請求項２１】
コンピュータに、
機器から状態情報を取得する機器情報取得ステップと、
前記状態情報に基づいて通知をすべきか否かを判定する通知条件判定ステップと、
前記通知条件判定ステップで通知をすべきと判定した場合に、第１の画面に用いられる第１の画面情報を生成する第１の画面情報生成ステップと、
前記第１の画面に対する操作情報である第１の操作情報を取得する第１の操作情報取得ステップと、
第２の画面に用いられる第２の画面情報を前記第１の操作情報に基づいて生成する第２の画面情報生成ステップと、
を実行させ、
前記第１の画面は、通知条件を満たした旨の通知表示及び前記第２の画面への遷移操作をユーザに促す表示を含み、
前記第２の画面は、前記通知条件に関連する情報の表示を含む、
プログラム。
【発明の詳細な説明】
【技術分野】
【０００１】
本発明は情報表示制御装置、サーバ、情報表示システム、情報表示制御システム、情報表示方法、およびプログラムに関する。
【背景技術】
【０００２】
近年、エネルギー問題に関心が高まり、一般家庭での省エネを目的としたシステムであるHEMS（Home Energy Management System）、マンション向けの省エネを目的としたシステムであるMEMS（Mansion Energy Management System）などのEMS（Energy Management System）が普及している。EMSは、端末、情報収集装置、電力測定装置、通信機能を備える家電機器などで構成されている。ユーザは端末を用いて、家庭で使用した消費電力量、機器の状態などを監視できる。
【０００３】
また、特許文献１には、空気調和装置に異常が生じたと判定したときに管理者が携帯する携帯端末に警報メッセージを送信する空気調和装置の監視システムに関する技術が開示されている。この技術により管理者の監視負担を軽減することができる。
【先行技術文献】
【特許文献】
【０００４】
【特許文献１】特開２００１−２０８４０３号公報
【発明の概要】
【発明が解決しようとする課題】
【０００５】
EMSにおいて、ユーザが端末を用いて自発的に消費電力量、機器の状態などを監視するのは負担が大きいという問題がある。さらに、一般の家電ユーザにとっては、消費電力量、機器の状態などの表示を見ても、現状の消費電力量が大きいか小さいかを認識するのは容易ではない。
【０００６】
また、特許文献１で開示された技術は警報メッセージによる通知のみに関するものであり、管理者は携帯端末から異常の原因に関する詳細情報を確認することができない。
【０００７】
本発明は上記の事情に鑑みてなされたものであり、より詳細な情報の確認をすることが可能な情報表示制御装置、サーバ、情報表示システム、情報表示制御システム、情報表示方法およびプログラムを提供することを目的とする。
【課題を解決するための手段】
【０００８】
本発明に係る情報表示制御装置は、機器情報取得部と、設定記憶部と、通知条件判定部と、第１の画面情報生成部と、第１の操作情報取得部と、第２の画面情報生成部と、を備える。機器情報取得部は機器から状態情報を取得する。設定記憶部は端末への報知の判断条件となる通知条件を記憶する。通知条件判定部は状態情報と通知条件とを比較して通知をすべきか否かを判定する。第１の画面情報生成部は、通知条件判定部が通知をすべきと判定した場合に、端末に表示される第１の画面に用いられ端末に送信される第１の画面情報を生成する。第１の画面は、通知条件を満たした旨の通知表示及び第２の画面への遷移操作をユーザに促す表示を含む。第１の操作情報取得部は第１の画面に対する操作情報である第１の操作情報を端末から取得する。第２の画面情報生成部は、端末に表示される第２の画面に用いられ端末に送信される第２の画面情報を第１の操作情報に基づいて生成する。第２の画面は通知条件に関連する情報の表示を含む。
【発明の効果】
【０００９】
本発明によれば、ユーザは第１の画面により通知を受けることで機器が通知条件を満たす状態になったことを認識でき、さらにユーザが第２の画面への遷移を要求することにより、追加の情報を得ることができる。
【図面の簡単な説明】
【００１０】
【図１】実施の形態１に係る情報表示システムの構成例を示す図
【図２】実施の形態１に係る情報表示制御装置の機能構成図
【図３】実施の形態１に係る情報表示制御装置の動作の一例を示すフローチャート
【図４】実施の形態１に係る端末が表示する画面の遷移例を示す図
【図５】実施の形態１に係る端末が表示する画面の遷移例を示す図
【図６】実施の形態１に係る端末が表示する第２の画面にWebブラウザを用いる変形例を示す図
【図７】実施の形態２に係る情報表示制御装置の機能構成図
【図８】実施の形態２に係る情報表示制御装置の動作の一例を示すフローチャート
【図９】実施の形態２に係る端末が表示する画面の遷移例を示す図
【図１０】実施の形態２に係る端末が表示する画面の遷移例を示す図
【図１１】実施の形態３に係る情報表示制御装置の機能構成図
【図１２】実施の形態３に係る情報表示制御装置の動作の一例を示すフローチャート
【図１３】実施の形態３に係る端末が表示する画面の遷移例を示す図
【図１４】実施の形態３に係る端末が表示する画面の遷移例を示す図
【図１５】実施の形態３に係る端末が表示する画面の遷移例を示す図
【図１６】実施の形態３に係る端末が表示する画面の遷移例を示す図
【図１７】実施の形態４に係る情報表示制御装置の機能構成図
【図１８】実施の形態４に係る情報表示制御装置の動作の一例を示すフローチャート
【図１９】実施の形態４に係る端末が表示する画面の遷移例を示す図
【図２０】実施の形態４に係る端末が表示する画面の遷移例を示す図
【図２１】実施の形態４に係る端末が表示する画面の遷移例を示す図
【図２２】実施の形態４に係る端末が表示する画面の遷移例を示す図
【図２３】実施の形態４に係る端末が表示する画面の遷移例を示す図
【図２４】実施の形態４に係る端末が表示する画面の遷移例を示す図
【図２５】実施の形態４の変形例に係る端末が表示する画面の遷移を示す図
【図２６】実施の形態５に係る情報表示制御装置の機能構成図
【図２７】実施の形態５に係る情報表示制御装置の動作の一例を示すフローチャート
【図２８】実施の形態５に係る端末が表示する画面の遷移例を示す図
【図２９】実施の形態５に係る端末が表示する画面の遷移例を示す図
【図３０】実施の形態５に係る端末が表示する画面の遷移例を示す図
【図３１】実施の形態５に係る端末が表示する画面の遷移例を示す図
【図３２】実施の形態５に係る端末が表示する画面の遷移例を示す図
【図３３】実施の形態５に係る端末が表示する画面の遷移例を示す図
【図３４】実施の形態６に係る情報表示制御装置の機能構成図
【図３５】実施の形態６及び７に係る情報表示制御装置の動作の一例を示すフローチャート
【図３６】実施の形態６に係る端末が表示する画面の遷移例を示す図
【図３７】実施の形態６に係る端末が表示する画面の遷移例を示す図
【図３８】実施の形態７及び８に係る情報表示制御装置の機能構成図
【図３９】実施の形態７に係る端末が表示する画面の遷移例を示す図
【図４０】実施の形態７に係る端末が表示する画面の遷移例を示す図
【図４１】実施の形態８に係る情報表示制御装置の動作の一例を示すフローチャート
【図４２】実施の形態８に係る端末が表示する画面の遷移例を示す図
【図４３】実施の形態８に係る端末が表示する画面の遷移例を示す図
【図４４】実施の形態９に係る情報表示制御装置の機能構成図
【図４５】実施の形態９に係る情報表示制御装置の動作の一例を示すフローチャート
【図４６】実施の形態９に係る端末が表示する画面の遷移例を示す図
【図４７】実施の形態９に係る端末が表示する画面の遷移例を示す図
【図４８】実施の形態１０に係る情報表示システムの構成例を示す図
【図４９】実施の形態１０に係る情報表示制御装置の機能構成図
【図５０】実施の形態１０に係るサーバの機能構成図
【図５１】実施の形態１０に係る情報表示制御装置の変形例の機能構成図
【図５２】実施の形態１１に係る情報表示システムの構成例を示す図
【図５３】実施の形態１に係る端末が表示する設定画面の例を示す図
【図５４】実施の形態１に係る端末が表示する設定画面の例を示す図
【図５５】実施の形態１に係る端末が表示する設定画面の例を示す図
【図５６】実施の形態１に係る端末が表示する設定画面の例を示す図
【図５７】実施の形態１に係る端末が表示する設定画面の例を示す図
【図５８】実施の形態１に係る端末が表示する設定画面の例を示す図
【図５９】実施の形態１に係る端末が表示する設定画面の例を示す図
【図６０】実施の形態１に係る端末が表示する設定画面の例を示す図
【図６１】実施の形態１に係る端末が表示する設定画面の例を示す図
【図６２】実施の形態１に係る端末が表示する設定画面の例を示す図
【図６３】実施の形態１に係る端末が表示する設定画面の例を示す図
【図６４】実施の形態１に係る端末が表示する設定画面の例を示す図
【図６５】実施の形態１に係る端末が表示する設定画面の例を示す図
【図６６】実施の形態１に係る端末が表示する設定画面の例を示す図
【図６７】実施の形態１に係る端末が表示する設定画面の例を示す図
【図６８】実施の形態１に係る端末が表示する設定画面の例を示す図
【図６９】実施の形態１に係る端末が表示する設定画面の例を示す図
【図７０】実施の形態１に係る端末が表示する設定画面の例を示す図
【図７１】実施の形態１に係る端末が表示する設定画面の例を示す図
【図７２】本発明に係る情報表示制御装置のハードウェア構成例を示す図
【発明を実施するための形態】
【００１１】
（実施の形態１）
以下、図１〜図５を参照しながら本発明の実施の形態１に係る情報表示システムを説明する。
【００１２】
まず、図１を参照しながら情報表示システム１０の構成を説明する。情報表示システム１０は情報表示制御装置１と端末４とを備え、情報表示制御装置１と端末４とが接続されている。また、情報表示制御装置１は宅内の電力計測装置２及び機器３と接続されている。
【００１３】
端末４は画面表示部と操作部とを備える。画面表示部には液晶ディスプレイ、有機ELディスプレイなどの画像表示器を用いることができる。操作部にはタッチパネル、操作ボタン、音声認識装置などの入力装置を用いることができる。端末４にはスマートフォン、タブレットなど汎用の携帯端末を用いてもよいし、情報表示制御装置１専用のリモコンを製造して用いてもよい。また、パソコンに画像表示器と入力装置を接続したもの、もしくはノートパソコンを端末４としてもよい。
【００１４】
端末４は情報表示制御装置１から画面情報を取得し、取得した画面情報に基づいて画面表示部に画面を表示する。ユーザが操作部により操作を行ったとき、端末４はユーザの操作を操作情報として生成し、情報表示制御装置１に送信する。
【００１５】
情報表示制御装置１は電力計測装置２及び機器３から、それらの状態を示す状態情報を取得し、取得した状態情報に基づいて通知すべきか否かを判断し、通知すべきと判断したときは通知画面である第１の画面を端末４に表示させるために第１の画面情報を端末４に送信する。ここで、状態情報は、機器の動作状態、環境状態、センサが取得した情報などを含む。また情報表示制御装置１は、ユーザが第１の画面に応答して端末４を操作したときに生成される第１の操作情報を端末４から取得する。さらに情報表示制御装置１は、第１の操作情報が詳細情報を表示する画面である第２の画面へ遷移するための操作に係る情報を含む場合、第２の画面情報を端末４に送信する。
【００１６】
電力計測装置２は宅内に設置される各機器３の消費電力及び宅内全体の消費電力を測定し、測定情報を記憶すると共に状態情報として情報表示制御装置１に送信する。また、電力計測装置２は機器３の一種でもある。
【００１７】
機器３は例えばエアコン、床冷暖房システム、浴室暖房乾燥機などの空気調和機や電子レンジ、IHクッキングヒーター、給湯機、空気清浄機、照明装置、冷蔵庫、テレビなど種々の家電である。機器３のうち、空気調和機は温度センサを備える。また、温度センサ、湿度センサなどの各種センサを単独で機器３としてもよい。機器３は例えば、自己の主電源がオンかオフかの情報及び自己の設定情報を状態情報として情報表示制御装置１に送信する。また機器３は例えば、温度センサにより取得した室温情報を状態情報として情報表示制御装置１に送信する。
【００１８】
次に、図２を参照しながら情報表示制御装置１の各機能を説明する。情報表示制御装置１は、機器３との通信を行う機器との通信部１０１と、機器３から機器情報を取得する機器情報取得部１０２と、通知条件の設定を条件情報として記憶する設定記憶部１０３と、機器情報と通知条件から通知すべきか否かを判定する通知条件判定部１０４と、第１の画面を端末４に表示するために必要な第１の画面情報を生成する第１の画面情報生成部１０５と、端末４との通信を行う端末との通信部１０６と、第１の画面に応答する操作に係る第１の操作情報を端末４から取得する第１の操作情報取得部１０７と、第２の画面を端末４に表示するために必要な第２の画面情報を生成する第２の画面情報生成部１０８と、を備える。
【００１９】
機器との通信部１０１は電力計測装置２及び機器３と通信を行う。特に、電力計測装置２及び機器３の状態情報を取得して機器情報取得部１０２に送信する。
【００２０】
機器情報取得部１０２は機器との通信部１０１を介して電力計測装置２及び機器３から状態情報を取得し、通知条件判定部１０４及び第２の画面情報生成部１０８に取得した状態情報を送信する。
【００２１】
設定記憶部１０３は端末４に通知すべき場合の条件を示す条件情報を記憶し、条件情報を通知条件判定部１０４に送信する。条件情報はあらかじめデフォルト値として定められたものを持っていてもよいし、ユーザの入力により設定可能としてもよい。
【００２２】
通知条件判定部１０４は機器情報取得部１０２から取得した状態情報と、設定記憶部１０３から取得した条件情報とを比較して通知をすべきか否かを判定し、通知すべきと判定したときには第１の画面情報生成部１０５に第１の画面情報の生成を要求する。
【００２３】
第１の画面情報生成部１０５は通知条件判定部１０４の要求に応じて、端末４に第１の画面を表示するために必要な第１の画面情報を生成し、端末との通信部１０６を介して端末４に送信する。第１の画面には、通知条件を満たした旨の通知表示及び第２の画面への遷移操作をユーザに促す表示が含まれる。
【００２４】
端末との通信部１０６は端末４と通信を行う。特に、端末４に第１の画面情報及び第２の画面情報を送信し、端末４から第１の操作情報を取得する。
【００２５】
第１の操作情報取得部１０７は端末との通信部１０６を介して端末４から第１の操作情報を取得する。また、第１の操作情報が第２の画面へ遷移するための操作に係る情報を含むとき、第１の操作情報取得部１０７は第２の画面情報生成部１０８に第２の画面情報の生成を要求する。
【００２６】
第２の画面情報生成部１０８は、第１の操作情報取得部１０７の要求に応じて、端末４に第２の画面を表示するために必要な第２の画面情報を生成し、端末との通信部１０６を介して端末４に送信する。第２の画面には、通知条件に関連する情報の表示及び機器３に関連する情報の表示が含まれる。
【００２７】
次に、図２及び図３を参照しながら情報表示制御装置１の動作を説明する。
【００２８】
情報表示制御装置１は、動作を開始すると、機器情報取得部１０２が電力計測装置２及び機器３から状態情報を取得する（ステップＳ１−１）。通知条件判定部１０４が機器情報取得部１０２から取得した状態情報と、設定記憶部１０３から取得した条件情報とを比較して、通知する必要があるかを判定する（ステップＳ１−２）。通知を要しない場合（ステップＳ１−２：いいえ）、ステップＳ１−１からの動作を繰り返す。通知を要する場合（ステップＳ１−２：はい）、通知条件判定部１０４は第１の画面情報生成部１０５に第１の画面情報の生成を要求する。
【００２９】
第１の画面情報生成部１０５は通知条件判定部１０４の要求に応じて、端末４が第１の画面を表示するために必要な画面情報を第１の画面情報として生成して端末４に送信する（ステップＳ１−３）。端末４は情報表示制御装置１から取得した第１の画面情報に基づいて第１の画面を表示する。第１の画面には、通知条件を満たした旨の通知表示及び第２の画面への遷移操作をユーザに促す表示が含まれる。ユーザが端末４に対して第１の画面に応答する操作を行うと、端末４はユーザの操作に係る情報を第１の操作情報として情報表示制御装置１に送信する。
【００３０】
第１の操作情報取得部１０７は端末４から、ユーザの操作内容を示す第１の操作情報を取得し（ステップＳ１−４）、第１の操作情報に第２の画面への遷移操作に係る情報が含まれているかを判定する（ステップＳ１−５）。遷移操作に係る情報が含まれていない場合（ステップＳ１−５：いいえ）、第２の画面を端末４に表示する必要がないのでステップＳ１−１からの動作を繰り返す。遷移操作に係る情報が含まれている場合（ステップＳ１−５：はい）、第１の操作情報取得部１０７は第２の画面情報生成部１０８に第２の画面情報の生成を要求する。
【００３１】
第２の画面情報生成部１０８は第１の操作情報取得部１０７の要求に応じて、端末４が第２の画面を表示するために必要な画面情報を第２の画面情報として生成して端末４に送信する（ステップＳ１−６）。端末４は情報表示制御装置１から取得した第２の画面情報に基づいて第２の画面を表示する。第２の画面には、通知条件に関連する情報の表示及び機器３に関連する情報の表示が含まれる。
【００３２】
第２の画面情報を端末４に送信したらステップＳ１−１からの動作を繰り返す。
【００３３】
次に、図２〜図５を参照しながら端末４の画面の遷移例を説明する。
【００３４】
図４に示される例では、電力計測装置２から取得した宅内全体の消費電力が契約電力の８０％を超過したときを通知条件として、設定記憶部１０３に記憶されている。また、図４及び今後の画面の遷移例にて例示される端末４はいずれも、液晶ディスプレイによる表示部及びタッチパネルによる操作部を備える。
【００３５】
図４で示される左側の画面が、通知条件を満たした旨の通知表示及びユーザに第２の画面への遷移を促す操作の表示を含む第１の画面の例である。具体的には電力超過の旨の通知が表示され、通知を閉じるか第２の画面を表示する機能を起動するかの選択肢が表示されている。ユーザはこの第１の画面により、電力消費量が多いことを認識できる。ユーザが「閉じる」ボタンをタップすると通知を閉じ、「起動」ボタンをタップすると第２の画面へ遷移する。
【００３６】
図４で示される右側の画面が、通知条件に関連する情報の表示及び機器３に関連する情報を含む第２の画面の例である。具体的には、第２の画面情報生成部１０８は、機器情報取得部１０２が取得した状態情報に基づいて、機器３の使用電力をリストアップする画面を生成する。そして、端末４は、この画面を表示している。ユーザはこの第２の画面により、電力消費量についての詳細情報を確認できる。
【００３７】
以下、図３と図４を参照しながら動作と画面遷移を関連付けて説明する。まず宅内全体の消費電力の情報を電力計測装置２から状態情報として取得し（ステップＳ１−１）、通知条件判定部１０４が、宅内全体の消費電力が、通知条件である「契約電力の８０％を超過したとき」を充足することを判別する（ステップＳ１−２：はい）。情報表示制御装置１は第１の画面情報を生成して端末４に送信する（ステップＳ１−３）。なお図４では、契約電力の８０％を超過したときを通知条件とする例を示しているが、これに限らない。また、契約電力の設定値は任意の値でかまわない。
【００３８】
端末４は情報表示制御装置１から第１の画面情報を取得し、第１の画面として図４で示される左側の画面を表示する。ユーザが「起動」ボタンを押すと、端末４は「起動」ボタンが押されたことを第１の操作情報として情報表示制御装置１に送信する。
【００３９】
情報表示制御装置１は端末４から第１の操作情報を取得する（ステップＳ１−４）。第１の操作情報に第２の画面への遷移操作に係る情報が含まれているので（ステップＳ１−５：はい）、情報表示制御装置１の第１の操作情報取得部１０７は、第２の画面情報の生成を第２の画面情報生成部１０８に要求する。第２の画面情報生成部１０８は、要求に応答して、機器情報取得部１０２が取得した各機器３からの情報状態から、各機器の消費電力を求め、リスト化することにより第２の画面情報を生成して端末４に送信する（ステップＳ１−６）。
【００４０】
端末４は情報表示制御装置１から第２の画面情報を取得し、第２の画面として図４で示される右側の画面を表示する。ステップＳ１−６において、第２の画面情報生成部１０８は、各機器の消費電力を含む第２の画面情報を生成して端末４に送信してもよい。またステップＳ１−６において、第２の画面情報生成部１０８は、機器３を使用電力の多い順にソートして、リスト化する第２の画面情報を生成して端末４に送信してもよい。このようにすることにより、ユーザは第２の画面により、消費電力量の多い機器を確認できる。
【００４１】
図５で示される例では、機器３としての空気調和機や温度センサから取得した各室内のいずれかの室内の温度が通知すべき温度に達すると、端末４が第１の画面を表示する。以下、本明細書では、通知すべき温度を見守り温度として説明する。図５は、見守り温度が３０℃として設定されている例を示している。
【００４２】
図４と同様に、図５で示される左側の画面が第１の画面であり、右側の画面が第２の画面である。具体的には、第１の画面では室温が見守り温度以上である旨の通知が表示され、通知を閉じるか第２の画面を表示する機能を起動するかの選択肢が表示されている。第２の画面では各機器３を設置した各室内の温度が各室内の状態として表示されている。ユーザはこの第１の画面により室温が高くなっていることを認識でき、またこの第２の画面により室温についての詳細情報を確認できる。
【００４３】
この場合は、室温が見守り温度以上であることが、通知条件として設定記憶部１０３に設定されている。通知条件判定部１０４は、エアコンのセンサ或いは専用のセンサ等から得た状態情報が、室温が見守り温度以上であることを検出すると、第１の画面の生成を第１の画面情報生成部に１０５に要求する。また、第２の画面情報生成部１０８は、機器情報取得部１０２が取得した状態情報に基づいて、各部屋の温度を温度の高い順にリストアップする画面を生成してもよい。そして、端末４は、この画面を表示している。このとき、ユーザはこの第２の画面により、各部屋の温度の詳細情報を確認できる。
【００４４】
以上、実施の形態１について説明をした。実施の形態１によれば、ユーザは端末４に表示される第１の画面によって通知を受けることにより宅内の環境を認識できる。ユーザは第１の画面に対して応答することにより端末４に表示される画面を第２の画面に遷移させることができる。ユーザは端末４に表示される第２の画面により宅内の詳細情報を確認できる。
【００４５】
また、実施の形態１では、電力計測装置２が宅内に設置される各機器３の消費電力及び宅内全体の消費電力を状態情報として情報表示制御装置１に送信する例、および空気調和機が温度センサにより取得した室温情報を状態情報として情報表示制御装置１に送信する例について説明した。これに限らず、例えば機器３の一種である給湯機が温度センサにより取得した貯湯温度を状態情報として情報表示制御装置１に送信してもよいし、機器３の一種である空気清浄機が埃センサにより取得した空気の汚れ度合いを状態情報として情報表示制御装置１に送信してもよい。またこれ以外に、例えば機器３の一種である照明装置が照度センサにより取得した照度情報を状態情報として情報表示制御装置１に送信してもよいし、機器３の一種である湿度センサが取得した湿度情報を状態情報として情報表示制御装置１に送信してもよい。そして通知条件は、消費電力量、温度以外に、空気の汚れ度合い、照度、湿度などであってもよい。
【００４６】
以下、実施の形態１における設定例、変形例などについて説明する。
【００４７】
図５３〜図７０を参照しながら、端末に表示される通知条件の設定画面及び設定方法の例を列挙して示す。ここでは見守り温度設定の場合の例のみを示す。
【００４８】
１：図５３に示すように、高温の場合及び低温の場合の両方について見守り温度を設定できる。この場合、２つの閾値を含む通知条件を設定記憶部１０３に設定する。この場合、室温が高温用設定温度より高くなった場合と、低温用設定温度より低くなった場合に、通知が行われる。
２：図５４に例示するように、高温の場合のみ、もしくは低温の場合のみを設定可能としてもよい。
３：図５５に示すように、季節ごとに見守り温度を設定可能としてもよい。この場合、通知条件判定部１０４は、例えば、リアルタイムクロックを備え、現時点がどの季節に属するかを判別して、通知条件が充足されるか否かを判別する。また、通知条件判定部１０４は、季節が変わって温度設定が切り替わったときにユーザに通知が必要と判別してもよい。
４：温度設定の入力方法は、図示せぬテキスト入力でも、図５６に示すようにリストを表示してその中から選択する手法でも、図５７に示すようにスライダーを表示して、ユーザによるスライダーの操作により設定する手法でも、図５８に示すように、温度の上下を指示する上下ボタン操作を表示し、ユーザによる上下ボタンの操作によるものでもよい。
５：図５９に示すように、高温の設定温度と低温の設定温度を同一のスライダーで設定可能としてもよい。
６：図６０に示すように、温度設定の表示方法は、お知らせを通知する範囲を強調表示してもよい。なお、「強調表示」の例として、図６０では、網掛けを採用している。
７：図６１に示すように、温度設定の入力方法は、２本の指で高温と低温を一度に設定可能としてもよい。
８：図６２に示すように、通知をON／OFFする設定があってもよい。
９：図６３に示すように、通知設定の入力方法は、温度設定スライダーをバーの端に移動させたときを通知OFFとしてもよい。
１０：図６４に示すように、通知の条件を機器３毎に設定可能としてもよい。この設定された条件は、設定記憶部１０３に登録される。
１１：図６５に示すように、第１の画面でボタンを押してから第２の画面が表示されるまでの起動速度の設定があってもよい。第２の画面情報生成部１０８は、第１の操作情報取得部１０７が操作情報を取得してから設定に対応する時間が経過するのを待って、第２の画面情報を端末４に送信する。設定に対応する時間の経過を待って、端末との通信部１０６が第２の画面情報を端末４に送信する形態でもよい。
１２：図６６に示すように、通知を表示してから、同一の条件で再度通知を表示するまでの時間の設定があってもよい。以後、同一の条件での再通知は、設定された時間の経過が条件となる。
１３：図６７に示すように、室温を取得する機器を、部屋単位で選択するものとしてもよい。この場合、予め部屋と機器とを対応付けて設定記憶部１０３等に記憶させておけばよい。
１４：図６８（ａ）及び図６８（ｂ）に示すように、端末４ごとに別個の設定をできるようにしてもよい。この場合、端末別の通知条件が設定記憶部１０３に格納される。通知条件判定部１０４は、端末別に通知条件が充足されているか否かを判別し、充足すると判別した場合には、その端末への第１の画面情報の送信を第１の画面情報生成部１０５に要求する。
１５：図６９に示すように、機器を自動で制御するかどうかを設定してもよい。なお、機器を自動で制御する場合の形態は後述の実施の形態６〜９で示すものとなる。
１６：図７０に示すように、通知する条件を説明する文を表示してもよい。この場合、第１の画面情報生成部１０５は、例えば、説明文のテンプレートを記憶しておき、このテンプレートに通知条件のうち変動する部分を当てはめることで説明文を構成すればよい。
１７：図６８（ａ）及び図６８（ｂ）にて説明した端末別に設定する通知条件は、図７１（ａ）及び図７１（ｂ）に示すように、見守り温度設定と使用電力設定とをそれぞれ別の端末で設定するようにしてもよい。図７１（ａ）及び図７１（ｂ）に示す例では、室温が見守り温度に達すると、第１の画面情報生成部１０５がユーザＡの端末へ第１の画面情報を生成し、宅内全体の消費電力が契約電力の８０％を超過すると、第１の画面情報生成部１０５がユーザＢの端末へ第１の画面情報を生成する。
【００４９】
端末４がスマートフォン、タブレットなど汎用の携帯端末の場合、及び端末４がパソコンの場合、実施の形態１は端末４にインストールされる専用のプログラムにより実現される。専用のプログラムは情報表示制御装置１から第１の画面情報を取得して第１の画面を表示する機能と、第１の画面に応答するユーザの操作に係る情報を第１の操作情報として情報表示制御装置１に送信する機能と、情報表示制御装置１から第２の画面情報を取得して第２の画面を表示する機能と、を備える。
【００５０】
端末４がスマートフォン、タブレットなど汎用の携帯端末である場合、図６に示されるとおり、専用のプログラムを端末４にインストールすることに代えて端末４にインストールされたWebブラウザを用いて第２の画面を表示することもできる。この場合、情報表示制御装置１と端末４は例えばWi-Fi規格に準拠した無線LANにより接続され、IP（Internet Protocol）によって互いに通信をする。図６に示される例では、情報表示制御装置１のIPアドレスは192.168.10.30である。情報表示制御装置１はWebサーバ機能を備え、第２の画面情報を、Webサーバ機能により定められたURLに紐付けられたWebページとして出力する。図６に示される例では、Webサーバ機能により定められたURLとは例えばhttps://192.168.10.30/list/powerである。Webサーバ機能により上述のURLに紐付けられたWebページのデータを端末４に送信することが第２の画面情報を送信することに相当する。
【００５１】
端末４にインストールされる専用のプログラムは、情報表示制御装置１から第１の画面情報を取得して第１の画面を表示する機能と、第１の画面に応答するユーザの操作に応じてWebブラウザを起動して第２の画面を表示するために上述のURLにアクセスする機能と、を備える。端末４にインストールされたWebブラウザで上述のURLにアクセスすることが、第１の操作情報を情報表示制御装置１に送信することに相当する。端末４にインストールされたWebブラウザで上述のURLに紐付けられたWebページを表示することが第２の画面を表示することに相当する。
【００５２】
端末４として専用のリモコンを用いる場合、端末４は画像表示器と入力装置は備えるが、コンピュータとしての機能は備えないものでもよい。この場合、情報表示制御装置１は端末４に映像信号を画面情報として送信し、画像表示器が映像信号を処理して画面を表示する。入力装置はユーザの操作により生じた信号を操作情報として情報表示制御装置１に送信し、情報表示制御装置は取得した信号を処理して第２の画面情報を生成するかを判定する。
【００５３】
（実施の形態２）
以下、図７から図１０を参照しながら実施の形態２について説明する。また、適宜実施の形態１と比較しながら説明する。
【００５４】
情報表示システム１０の構成は図１で示される実施の形態１の場合と同様である。
【００５５】
図７及び実施の形態１に係るブロック図である図２を参照しながら情報表示制御装置１の各機能を説明する。実施の形態１との共通点については適宜説明を省略する。情報表示制御装置１は図２に示される実施の形態１の場合と比べると、制御すべき機器３の情報を制御対象機器情報として抽出して第２の画面情報生成部１０８に送信する制御機器情報抽出部１０９と、第２の画面に応答する操作に係る第２の操作情報を端末４から取得する第２の操作情報取得部１１０と、機器３に制御信号を送信する機器制御部１１１と、を更に備える。
【００５６】
機器との通信部１０１は実施の形態１の場合に加えて、機器制御部１１１から制御信号を取得して制御対象の機器３に送信する。
【００５７】
機器情報取得部１０２は実施の形態１と異なり、機器３から取得した状態情報を第２の画面情報生成部１０８ではなく制御機器情報抽出部１０９に送信する。この点以外は実施の形態１と同様である。
【００５８】
第２の画面情報生成部１０８は実施の形態１と異なり、機器情報取得部１０２から状態情報を取得するのではなく、制御機器情報抽出部１０９から制御対象機器情報を取得する。また、第２の画面には通知条件に関連する情報の表示、制御対象機器情報に関する表示及び機器３の制御操作をユーザに促す表示が含まれる点が実施の形態１と異なる。よって生成する第２の画面情報も実施の形態１と異なる。これらの点以外は実施の形態１と同様である。
【００５９】
端末との通信部１０６は、第１の操作情報に加えて、端末４から第２の操作情報を取得する。
【００６０】
制御機器情報抽出部１０９は機器情報取得部１０２から状態情報を取得し、制御すべき機器３の情報を制御対象機器情報として抽出する。制御機器情報抽出部１０９は制御対象機器情報を第２の画面情報生成部１０８に送信する。
【００６１】
第２の操作情報取得部１１０は端末との通信部１０６を介して端末４から第２の操作情報を取得する。第２の操作情報取得部１１０は、取得した第２の操作情報が機器３を制御する操作に係る情報を含むとき、第２の操作情報に基づいて制御信号を生成して機器制御部１１１に送信する。
【００６２】
機器制御部１１１は第２の操作情報取得部１１０から制御信号を取得し、機器との通信部１０１を介して機器３に制御信号を送信して機器３を制御する。
【００６３】
次に、図８及び実施の形態１に係るフローチャートである図３を参照しながら情報表示制御装置１の動作を説明する。
【００６４】
機器情報取得から第２の画面への遷移操作判定の流れ（ステップＳ２−１〜Ｓ２−５）までは実施の形態１と同様（ステップＳ１−１〜Ｓ１−５）である。
【００６５】
第１の操作情報に第２の画面への遷移操作に関する情報が含まれている場合（ステップＳ２−５：はい）、第２の画面情報生成部１０８は、制御機器情報抽出部１０９に機器情報取得部１０２から取得した状態情報から、制御対象機器情報を抽出することを要求する。制御機器情報抽出部１０９は、状態情報から制御対象機器情報を抽出し、第２の画面情報生成部１０８に送信する（ステップＳ２−６）。
【００６６】
第２の画面情報生成部１０８は制御機器情報抽出部１０９から制御対象機器情報を取得し、第１の操作情報取得部１０７の要求に応じて、制御対象機器情報に基づいて第２の画面情報を生成して端末４に送信する（ステップＳ２−７）。端末４は情報表示制御装置１から取得した第２の画面情報に基づいて第２の画面を表示する。第２の画面には、通知条件に関連する情報の表示、制御対象機器情報に関する表示及び機器３の制御操作をユーザに促す表示が含まれる。ユーザが端末４に対して第２の画面に応答する操作を行うと、端末４はユーザの操作に係る情報を第２の操作情報として情報表示制御装置１に送信する。
【００６７】
第２の操作情報取得部１１０は端末４から第２の操作情報を取得し（ステップＳ２−８）、第２の操作情報に機器３を制御する操作に係る情報が含まれているかを判定する（ステップＳ２−９）。機器３を制御する操作に係る情報が含まれていない場合（ステップＳ２−９：いいえ）、ステップＳ２−１からの動作を繰り返す。機器３を制御する操作に係る情報が含まれている場合（ステップＳ２−９：はい）、第２の操作情報取得部１１０は第２の操作情報に基づいて制御信号を生成して機器制御部１１１に送信する（ステップＳ２−１０）。機器制御部１１１は第２の操作情報取得部１１０から取得した制御信号を機器との通信部１０１を介して制御対象の機器３に送信する。
【００６８】
次に、図８〜図１０を参照しながら端末４の画面の遷移例を説明する。
【００６９】
実施の形態１と同様に、図９に示される例では電力計測装置２から取得した宅内全体の消費電力が契約電力の８０％を超過したときを通知条件とし、図１０に示される例では機器３としての空気調和機や温度センサから取得した各室内のいずれかの室内の温度が「見守り温度」以上になったときを通知条件としている。
【００７０】
図９及び図１０で示される左側の第１の画面はいずれも実施の形態１と同様である。図９及び図１０で示される右側の画面が、通知条件に関連する情報の表示、制御対象機器情報に関する表示及び機器３の制御操作をユーザに促す表示を含む第２の画面の例である。具体的には、通知条件を満たした原因となる機器３である「リビングのエアコン」の現在の状態を示し、制御操作をユーザに促す画面が表示されている。ユーザはこの第２の画面に応答する操作を行うことにより、「リビングのエアコン」を制御することができる。
【００７１】
以下、図８と図９を参照しながら動作と画面遷移を関連付けて説明する。図１０については通知条件以外図９と同様である。また、機器情報取得から第２の画面への遷移操作判定の流れ（ステップＳ２−１〜Ｓ２−５）までは実施の形態１と同様（ステップＳ１−１〜Ｓ１−５）であるため説明を省略する。
【００７２】
ユーザが図９左側に示す画面の「起動」を操作した場合、第１の操作情報に第２の画面への遷移操作に係る情報が含まれているので（ステップＳ２−５：はい）、情報表示制御装置１は制御対象機器情報を抽出する（ステップＳ２−６）。この例では、第２の画面情報生成部１０８は、電力消費が最も大きい機器３の情報を制御機器情報として提供することを制御機器情報抽出部１０９に要求する。制御機器情報抽出部１０９は、要求に応答して、「リビングのエアコン」の消費電力が一番大きいことを特定し、その状態情報を抽出し、制御機器情報として第２の画面情報生成部１０８に供給する。第２の画面情報生成部１０８は、供給された制御対象機器情報に基づいて第２の画面情報を生成して端末４に送信する（ステップＳ２−７）。なお、どの機器３を制御対象機器とするかの選定基準は適宜定めれば良い。
【００７３】
端末４は情報表示制御装置１から第２の画面情報を取得し、第２の画面として図９で示される右側の画面を表示し、ユーザに制御対象の機器３である「リビングのエアコン」の制御を促す。ユーザが「リビングのエアコン」に対して設定温度変更、運転モード変更などを目的とする操作を行うと、端末４はユーザの操作に係る情報を第２の操作情報として情報表示制御装置１に送信する。
【００７４】
情報表示制御装置は端末から第２の操作情報を取得する（ステップＳ２−８）。第２の操作情報には「リビングのエアコン」を制御する操作に係る情報が含まれているので（ステップＳ２−９：はい）、情報表示制御装置１は制御信号を生成して「リビングのエアコン」に送信する（ステップＳ２−１０）。
【００７５】
一方、図１０の例では、「リビングのエアコン」が、室温が見守り温度より高くなったことを状態情報として通知していることから、制御対象機器が「リビングのエアコン」に特定される。他の点は図９の例と同様である。
【００７６】
以上、実施の形態２について説明をした。実施の形態２によれば、実施の形態１と同様に、ユーザは端末４に表示される第１の画面によって通知を受けることにより宅内の環境を認識できる。ユーザは実施の形態１と同様に、第１の画面に対して応答することにより端末４に表示される画面を第２の画面に遷移させることができる。そしてユーザは実施の形態１とは異なり、端末４に表示される第２の画面に対して応答することにより、通知を受けた宅内の環境に関連する機器３の制御をすることができる。これによりユーザは、機器３に対して現状より適した制御を容易に行うことができる。
【００７７】
（実施の形態３）
以下、図１１から図１６を参照しながら実施の形態３について説明する。また、適宜実施の形態２と比較しながら説明する。
【００７８】
情報表示システム１０の構成は図１で示される実施の形態１の場合と同様のため省略する。
【００７９】
図１１及び実施の形態２に係るブロック図である図７を参照しながら情報表示制御装置１の各機能のうち実施の形態２と異なる点を説明する。情報表示制御装置１の各機能は図７に示される実施の形態２と基本的には同様であるが、制御機器情報抽出部１０９は制御対象機器情報を第１の画面情報生成部１０５にも送信し、第１の画面情報生成部１０５は制御機器情報抽出部１０９から取得した制御対象機器情報にも基づいて第１の画面情報を生成する点が異なる。
【００８０】
次に、図１２及び実施の形態２に係るフローチャートである図８を参照しながら情報表示制御装置１の動作を説明する。情報表示制御装置１の動作の流れは実施の形態２と基本的には同様であるが、制御対象機器情報の抽出を第１の画面情報生成前に行う点（ステップＳ３−３）が実施の形態２と異なる（ステップＳ２−６）。また、第１の画面情報は制御対象機器情報に基づいて生成される。第１の画面には、通知条件を満たした旨の通知表示及び第２の画面への遷移操作をユーザに促す表示に加えて更に、制御対象機器情報に関する表示が含まれる。これらの点も実施の形態２と異なる。
【００８１】
次に、図１２〜図１４を参照しながら端末４の画面の遷移例を説明する。
【００８２】
実施の形態１及び２と同様に、図１３に示される例では電力計測装置２から取得した宅内全体の消費電力が契約電力の８０％を超過したときを通知条件とし、図１４に示される例では機器３としての空気調和機や温度センサから取得した各室内のいずれかの室内の温度が「見守り温度」以上になったときを通知条件としている。
【００８３】
図１３及び図１４で示される右側の第２の画面はいずれも実施の形態２と同様である。図１３及び図１４で示される左側の画面が、通知条件を満たした旨の通知表示、第２の画面への遷移操作をユーザに促す表示及び制御対象機器情報に関する表示を含む第１の画面の例である。図１３の例では、第１の画面情報生成部１０５は、電力消費が最も大きい機器３の情報を制御機器情報として提供することを制御機器情報抽出部１０９に要求する。制御機器情報抽出部１０９は、要求に応答して、「リビングのエアコン」の消費電力が一番大きいことを特定し、その状態情報を抽出し、制御機器情報として第１の画面情報生成部１０５に供給する。第１の画面情報生成部１０５は、供給された制御対象機器情報に基づいて第１の画面情報を生成する。具体的には、制御対象として「リビングのエアコン」を特定する情報を含むメッセージを含む第１の画面情報を生成して、端末４に送信する（ステップＳ３−４）。なお、どの機器３を制御対象機器とするかの選定基準は適宜定めれば良い。
【００８４】
一方、図１４の例では、「リビングのエアコン」が、室温が見守り温度より高くなったことを状態情報として通知していることから、制御対象機器が「リビングのエアコン」に特定される。
【００８５】
図１３及び図１４で示されるいずれの場合も、ユーザは第１の画面により、制御対象の機器３が「リビングのエアコン」であることを認識できる。
【００８６】
図１３及び図１４に示される場合における遷移動作の説明は、第１の画面に機器３の名称が表示される点以外は実施の形態２と基本的には同様である。
【００８７】
次に、図１５及び図１６を参照しながら実施の形態３のもう１つの画面遷移例を説明する。図１５及び図１６に示される例はいずれも、第１の画面に制御対象となる機器３の名称の代わりに、制御対象となる機器３の存在する部屋の名称が位置情報として表示されている点が図１３及び図１４に示される場合と異なる。具体的には機器の名称である「リビングのエアコン」の表記の代わりに「リビングにある機器」の表記となっている。この第１の画面によりユーザは制御対象となる機器３の存在する部屋を認識できる。この相違点以外は図１３及び図１４に示される場合と同様のため説明を省略する。このような構成とする場合、第１の画面情報生成部１０５は、各機器とその設置場所との対応関係を予め記憶しておけばよい。
【００８８】
なお、図１５及び図１６において制御対象となる機器３は「リビングの床冷暖房」となっており、第２の画面における設定項目も「リビングのエアコン」と比べて少ないものとなっている。これは、「リビングのエアコン」よりも「リビングの床冷暖房」のほうを優先して制御すべきと判断できる場合には「リビングの床冷暖房」が制御対象として選択されることを示している。
【００８９】
以上、実施の形態３について説明をした。実施の形態３によれば、実施の形態２の場合に加えて、ユーザは端末４に表示される第１の画面によって制御対象となる機器３、もしくは制御対象となる機器３が存在する部屋を認識できる。
【００９０】
（実施の形態４）
以下、図１７から図２４を参照しながら実施の形態４について説明する。また、適宜実施の形態２と比較しながら説明する。
【００９１】
情報表示システム１０の構成は図１で示される実施の形態１の場合と同様のため省略する。
【００９２】
図１７及び実施の形態２に係るブロック図である図７を参照しながら情報表示制御装置１の各機能を説明する。実施の形態２との共通点については適宜説明を省略する。情報表示制御装置１は図７に示される実施の形態２の場合と比べると、制御機器情報抽出部１０９から取得した制御対象機器情報及び第２の操作情報取得部１１０から取得した第２の操作情報に基づいて第３の画面情報を生成して端末４に送信する第３の画面情報生成部１１２と、端末４から第３の操作情報を取得し、その情報に基づいて制御信号を生成して機器制御部１１１に送信する第３の操作情報取得部１１３と、を更に備える。
【００９３】
端末との通信部１０６は実施の形態２の場合に加えて、端末４に第３の画面情報を送信し、端末４から第３の操作情報を取得する。
【００９４】
第２の画面情報生成部１０８は、生成する第２の画面情報が実施の形態２と異なる。第２の画面には制御すべき機器３の選択をユーザに促す表示が含まれる点が実施の形態２と異なるため、第２の画面情報も異なったものとなるからである。
【００９５】
制御機器情報抽出部１０９は実施の形態２の場合に加えて、第３の画面情報生成部１１２にも制御対象機器情報を送信する。
【００９６】
第２の操作情報取得部１１０は、取得した第２の操作情報が、制御する機器３を選択する操作に係る情報を含むとき、選択した機器３の情報を選択機器情報として第３の画面情報生成部１１２に送信する点が実施の形態２と異なる。
【００９７】
機器制御部１１１は、第２の操作情報取得部１１０からではなく第３の操作情報取得部１１３から制御信号を取得する点が実施の形態２と異なる。
【００９８】
第３の画面情報生成部１１２は第２の操作情報取得部１１０から選択機器情報を取得し、ユーザが選択した制御対象の機器３について制御機器情報抽出部１０９から制御対象機器情報を取得する。そして第３の画面情報生成部１１２は制御対象機器情報に基づいて第３の画面情報を生成して端末との通信部１０６を介して端末４に送信する。第３の画面には通知条件に関連する情報の表示、制御対象機器情報に関する表示及び機器３の制御操作をユーザに促す表示が含まれる。これは実施の形態２における第２の画面と同様のものである。
【００９９】
第３の操作情報取得部１１３は端末との通信部１０６を介して端末４から第３の操作情報を取得する。また、取得した第３の操作情報が機器３を制御する操作に係る情報を含むとき、第３の操作情報取得部１１３は第３の操作情報に基づいて制御信号を生成して機器制御部１１１に送信する。これは実施の形態２における第２の操作情報取得部１１０と同様の機能である。
【０１００】
次に、図１８及び実施の形態２に係るフローチャートである図８を参照しながら情報表示制御装置１の動作を説明する。
【０１０１】
ステップＳ４−１〜Ｓ４−５及びステップＳ４−１０〜Ｓ４−１２の流れは実施の形態２のステップＳ２−１〜Ｓ２−５及びステップＳ２−８〜Ｓ２−１０の流れと基本的には同様であるため説明を省略する。実施の形態４における第３の画面、第３の画面情報、第３の画面情報生成部１１２、第３の操作情報及び第３の操作情報取得部１１３がそれぞれ実施の形態２における第２の画面、第２の画面情報、第２の画面情報生成部１０８、第２の操作情報及び第２の操作情報取得部１１０に対応する。
【０１０２】
ステップＳ４−６についても実施の形態２におけるステップＳ２−７と基本的には同様だが、第２の画面には、機器３の制御操作をユーザに促す表示に代えて、制御対象とする機器３の選択をユーザに促す表示が含まれる点が実施の形態２と異なる。
【０１０３】
第２の操作情報取得部１１０は端末４から第２の操作情報を取得し（ステップＳ４−７）、第２の操作情報に制御対象とする機器３を選択する操作に係る情報が含まれているかを判定する（ステップＳ４−８）。制御対象とする機器３を選択する操作に係る情報が含まれていない場合（ステップＳ４−８：いいえ）、ステップＳ４−１からの動作を繰り返す。制御対象とする機器３を選択する操作に係る情報が含まれている場合（ステップＳ４−８：はい）、第２の操作情報取得部１１０は選択機器情報を生成して第３の画面情報生成部１１２に送信する。
【０１０４】
第３の画面情報生成部１１２はユーザが選択した制御対象の機器３について、制御機器情報抽出部１０９から取得した制御対象機器情報に基づいて第３の画面情報を生成して端末４に送信する（ステップＳ４−９）。
【０１０５】
次に、図１８〜図２４を参照しながら端末４の画面の遷移例を説明する。
【０１０６】
図１９〜図２１に示される例では電力計測装置２から取得した宅内全体の消費電力が契約電力の８０％を超過したときを通知条件とし、図２２〜図２４に示される例では機器３としての空気調和機や温度センサから取得した各室内のいずれかの室内の温度が「見守り温度」以上になったときを通知条件としている。
【０１０７】
図１９〜図２４に示される例はいずれも、左側の画面が第１の画面であり、右側の画面が第３の画面であり、第１の画面と第３の画面の中間に表示される画面が第２の画面である。ユーザの操作により第１の画面から第２の画面へと遷移し、さらに第２の画面から第３の画面へと遷移する様子を示している。この遷移は上述の、図１８のフローチャートを参照して説明した動作の流れにより実現される。詳細な説明は省略する。
【０１０８】
第１の画面については実施の形態２と同様であるため詳細な説明を省略する。また第３の画面についても、実施の形態２における第２の画面と同様であるため詳細な説明を省略する。第２の画面には、通知条件に関連する情報の表示、制御対象機器情報に関する表示及び制御対象とする機器３の選択をユーザに促す表示が含まれる。具体的には、制御対象となりうる機器３の一覧が表示され、特に制御対象とすべき機器３について強調表示がされている。また、図２０及び図２３に示されるとおり、特に制御対象とすべき機器３の位置を間取り図により表示してもよく、図２１及び図２４に示されるとおり、特に制御対象とすべき機器３のある部屋の位置を間取り図により表示してもよい。なお、間取り図を表示する場合には、予め間取り図と各機器３の配置関係とを第２の画面情報生成部１０８に登録しておく。
【０１０９】
以上、実施の形態４について説明をした。実施の形態４によれば、実施の形態２と同様に、ユーザは端末４に表示される第１の画面によって通知を受けることにより宅内の環境を認識できる。ユーザは実施の形態２と同様に、第１の画面に対して応答することにより端末４に表示される画面を第２の画面に遷移させることができる。ユーザは実施の形態２とは異なり、端末４に表示される第２の画面に対して応答することにより、制御対象とする機器３の選択をすることができる。そしてユーザは第３の画面に対して応答することにより選択した機器３の制御をすることができる。
【０１１０】
この実施の形態４について図２５を参照しながら変形例を１つ示す。図２５は図２４と基本的には同様であるが、第３の画面が異なる。この変形例における第３の画面は、推奨設定項目を強調表示している点に特徴がある。この第３の画面によりユーザは自分で設定すべき内容を判断せずとも機器３を制御できる。
【０１１１】
（実施の形態５）
以下、図２６から図３３を参照しながら実施の形態５について説明する。また、適宜実施の形態４と比較しながら説明する。
【０１１２】
情報表示システム１０の構成は図１で示される実施の形態１の場合と同様のため省略する。
【０１１３】
図２６及び実施の形態４に係るブロック図である図１７を参照しながら情報表示制御装置１の各機能のうち実施の形態４と異なる点を説明する。情報表示制御装置１の各機能は図１７に示される実施の形態４と基本的には同様であるが、制御機器情報抽出部１０９は制御対象機器情報を第１の画面情報生成部１０５にも送信し、第１の画面情報生成部１０５は制御機器情報抽出部１０９から取得した制御対象機器情報にも基づいて第１の画面情報を生成する点が異なる。つまり、各機能についての実施の形態５と４との差異は、実施の形態３と２との差異と同様である。
【０１１４】
次に、図２７及び実施の形態４に係るフローチャートである図１８を参照しながら情報表示制御装置１の動作を説明する。情報表示制御装置１の動作の流れは実施の形態４と基本的には同様であるが、実施の形態４では行われない、制御対象機器情報の抽出を第１の画面情報生成前に行う点（ステップＳ５−３）が実施の形態４と異なる。また、第１の画面情報は制御対象機器情報に基づいて生成される。第１の画面には、通知条件を満たした旨の通知表示及び第２の画面への遷移操作をユーザに促す表示に加えて更に、制御対象機器情報に関する表示が含まれる。これらの点も実施の形態４と異なる。つまり、動作の流れについても、実施の形態５と４との差異は、実施の形態３と２との差異と基本的には同様といえる。
【０１１５】
これらの差異以外は実施の形態４と同様である。つまり、ステップＳ５−１、Ｓ５−２及びＳ５−４以降の流れはステップＳ４−１、Ｓ４−２及びＳ４−３以降の流れと対応する。よって詳細な説明は省略する。
【０１１６】
次に、図２８〜図３３を参照しながら端末４の画面の遷移例を説明する。
【０１１７】
図２８〜図３３はそれぞれ実施の形態４における遷移例である図１９〜図２４にそれぞれ対応する。これらはそれぞれ第１の画面以外は同一である。よって第１の画面以外の説明は省略する。
【０１１８】
図２８〜図３３に示されるとおり、第１の画面に、特に制御対象とすべき機器３の名称である「リビングのエアコン」が表示される点が実施の形態４と異なる。よってユーザは第１の画面により、特に制御対象とすべき機器３が「リビングのエアコン」であることを認識できる。つまり、第１の画面についても、実施の形態５と４との差異は、実施の形態３と２との差異と同様である。
【０１１９】
以上、実施の形態５について説明をした。実施の形態５によれば、実施の形態４の場合に加えて、ユーザは端末４に表示される第１の画面によって特に制御対象とすべき機器３を認識できる。
【０１２０】
（実施の形態６）
以下、図３４から図３７を参照しながら実施の形態６について説明する。また、適宜実施の形態１と比較しながら説明する。
【０１２１】
情報表示システム１０の構成は図１で示される実施の形態１の場合と同様のため省略する。
【０１２２】
図３４及び実施の形態１に係るブロック図である図２を参照しながら情報表示制御装置１の各機能を説明する。実施の形態１との共通点については適宜説明を省略する。情報表示制御装置１は図２に示される実施の形態１の場合と比べると、通知条件判定部１０４が通知すべきと判定する場合に機器情報取得部１０２から取得した状態情報に基づいて機器３を自動制御するための制御内容情報を生成する制御内容生成部１１４と、制御内容生成部１１４から制御内容情報を取得して機器３に制御信号を送信する機器制御部１１１と、を更に備える。
【０１２３】
機器との通信部１０１は実施の形態１の場合に加えて、機器制御部１１１から制御信号を取得して制御対象の機器３に送信する。
【０１２４】
機器情報取得部１０２は、通知条件判定部１０４に加えて制御内容生成部１１４にも状態情報を送信するが、第２の画面情報生成部１０８には状態情報を送信しない点が実施の形態１と異なる。
【０１２５】
通知条件判定部１０４は、通知すべきと判定するとき、第１の画面情報生成部１０５に第１の画面情報の生成を要求することに加えて、制御内容生成部１１４に制御内容情報の生成を要求する点が実施の形態１と異なる。
【０１２６】
第１の画面情報生成部１０５は、生成する第１の画面情報が実施の形態１と異なる。その結果として、第１の画面には、機器３を自動で制御した旨の表示が更に含まれる点が実施の形態１と異なる。
【０１２７】
第２の画面情報生成部１０８は、制御内容生成部１１４から取得した制御内容に基づいて第２の画面情報を生成する点が実施の形態１と異なる。また、第２の画面には通知条件に関連する情報の表示及び自動制御に関する内容の表示が含まれる点も実施の形態１と異なる。
【０１２８】
制御内容生成部１１４は、各機器３について、自動制御のアルゴリズムを予め記憶している。制御内容生成部１１４は、通知条件判定部１０４からの要求に応じて、機器情報取得部１０２から取得した状態情報に基づいて機器３を自動制御するための制御内容情報を生成して第２の画面情報生成部１０８と機器制御部１１１とに送信する。
【０１２９】
機器制御部１１１は、制御内容生成部１１４から制御内容を取得し、取得した制御内容に基づいて機器３に制御信号を機器との通信部１０１を介して送信する。
【０１３０】
次に、図３５及び実施の形態１に係るフローチャートである図３を参照しながら情報表示制御装置１の動作を説明する。
【０１３１】
ステップＳ６−１、Ｓ６−２及びステップＳ６−５〜Ｓ６−７はそれぞれ実施の形態１のステップＳ１−１、Ｓ１−２及びステップＳ１−４〜Ｓ１−６に対応するため説明を省略する。なお、第１の画面には通知条件を満たした旨の表示及び機器３を自動で制御した旨の表示が含まれ、第２の画面には通知条件に関連する情報の表示及び自動制御に関する内容の表示が含まれる。
【０１３２】
通知条件判定部１０４が通知すべきと判定した場合（ステップＳ６−２：はい）、通知条件判定部１０４は制御内容生成部１１４に制御内容情報の生成を要求する。制御内容生成部１１４は通知条件判定部１０４の要求に応じて、機器情報取得部１０２から状態情報を取得し、その状態情報に基づいて自動制御する機器３を決定する（ステップＳ６−３）。制御内容生成部１１４は自動制御する機器３に対する制御内容情報を生成して第２の画面情報生成部１０８と機器制御部１１１とに送信する。
【０１３３】
機器制御部１１１は制御内容生成部１１４から取得した制御内容情報に基づいて、自動制御の対象となる機器３を制御するための制御信号を生成して自動制御の対象となる機器３に送信する（ステップＳ６−４）。この制御信号の送信はステップＳ６−５における第１の画面情報の生成、送信より前に行われているため、端末４に第１の画面が表示される前に機器３は自動制御される。
【０１３４】
次に、図３６及び図３７を参照しながら端末４の画面の遷移例を説明する。
【０１３５】
実施の形態１と同様に、図３６に示される例では電力計測装置２から取得した宅内全体の消費電力が契約電力の８０％を超過したときを通知条件とし、図３７に示される例では機器３としての空気調和機や温度センサから取得した各室内のいずれかの室内の温度が「見守り温度」以上になったときを通知条件としている。なお、通知条件を満たすと自動制御を行うため、通知条件は自動制御がなされる条件ともいえる。
【０１３６】
図３６及び図３７で示される左側の画面が、通知条件を満たした旨の表示及び機器３を自動で制御した旨の表示を含む第１の画面の例である。なお、ユーザは、具体的にどの機器３が自動で制御されたのかは第１の画面からは認識できない。第１の画面上の「起動」ボタンをタップすると第２の画面に遷移するが、第１の画面が表示された時点で既に機器３は自動制御されている。
【０１３７】
図３６及び図３７で示される右側の画面が通知条件に関連する情報の表示及び自動制御に関する内容の表示を含む第２の画面の例である。具体的には、図３６で示される例では、通知条件を満たした原因となる機器３である「リビングのエアコン」の名称及び「リビングのエアコン」の設定を自動で「冷房」「２８℃」にした旨の通知が表示されている。図３７で示される例では、自動で設定された内容が「冷房」「２６℃」である点以外は図３６と同様である。なお、この例では通知を閉じたら背後に表示されている操作画面によりユーザが手動で機器３を制御できるが、必ずしもそのようにしなくてもよい。
【０１３８】
以上、実施の形態６について説明をした。実施の形態６によれば、ユーザは端末４に表示される第１の画面によって通知を受けることにより宅内の環境を認識でき、また機器３が自動制御されたことを認識できる。ユーザは実施の形態１と同様に、第１の画面に対して応答することにより端末４に表示される画面を第２の画面に遷移させることができる。ユーザは端末４に表示される第２の画面により、自動制御の具体的な内容を認識できる。
【０１３９】
（実施の形態７）
以下、図３８〜図４０及び図３５を参照しながら実施の形態７について説明する。また、適宜実施の形態６と比較しながら説明する。
【０１４０】
情報表示システム１０の構成は図１で示される実施の形態１と同様である。
【０１４１】
図３８及び実施の形態６に係るブロック図である図３４を参照しながら情報表示制御装置１の各機能のうち実施の形態６と異なる点を説明する。情報表示制御装置１の各機能は図３４に示される実施の形態６と基本的には同様であるが、制御内容生成部１１４は制御内容情報を第１の画面情報生成部１０５にも送信し、第１の画面情報生成部１０５は制御内容生成部１１４から取得した制御内容情報にも基づいて第１の画面情報を生成する点が異なる。つまり、各機能についての実施の形態７と６との差異は、実施の形態３と２との差異及び実施の形態５と４との差異と同様である。
【０１４２】
情報表示制御装置１の動作は、実施の形態６に係るフローチャートである図３５で示される動作と基本的には同様である。実施の形態６との違いは、第１の画面情報は制御内容情報にも基づいて生成され、第１の画面には自動制御した機器の情報の表示が更に含まれる点である。それ以外は実施の形態６と同様のため説明を省略する。つまり、動作の流れについても、実施の形態７と６との差異は、実施の形態３と２との差異及び実施の形態５と４との差異と同様といえる。
【０１４３】
次に、図３９及び図４０を参照しながら端末４の画面の遷移例を説明する。
【０１４４】
図３９及び図４０はそれぞれ実施の形態６における遷移例である図３６及び図３７にそれぞれ対応する。これらはそれぞれ第１の画面以外は同一である。よって第１の画面以外の説明は省略する。
【０１４５】
図３９及び図４０に示されるとおり、第１の画面に、自動制御の対象となった機器３の名称である「リビングのエアコン」が表示される点が実施の形態６と異なる。よってユーザは第１の画面により、自動制御の対象となった機器３が「リビングのエアコン」であることを認識できる。つまり、第１の画面についても、実施の形態７と６との差異は、実施の形態３と２との差異及び実施の形態５と４との差異と同様である。
【０１４６】
以上、実施の形態７について説明をした。実施の形態７によれば、実施の形態６の場合に加えて、ユーザは端末４に表示される第１の画面によって自動制御の対象となった機器３を認識できる。
【０１４７】
（実施の形態８）
以下、図３８、図４２及び図４３を参照しながら実施の形態８について説明する。また、適宜実施の形態７と比較しながら説明する。
【０１４８】
情報表示システム１０の構成は図１で示される実施の形態１の場合と同様のため省略する。
【０１４９】
情報表示制御装置１の各機能については図３８に示される実施の形態７のブロック図の場合と基本的には同様である。実施の形態７と異なる点は、第１の画面情報生成部１０５が制御内容情報に基づいて第１の画面情報を生成する際、自動制御する際の機器３の設定に関する情報も第１の画面情報に含まれる点である。また、この結果として第１の画面には、自動制御した機器３の情報として機器３の設定に関する表示が含まれる。これらの点以外は実施の形態７と同様である。
【０１５０】
次に、図４１及び実施の形態７に係るフローチャートである図３５を参照しながら情報表示制御装置１の動作を説明する。
【０１５１】
ステップＳ８−１、Ｓ８−２及びステップＳ８−４〜Ｓ８−８はそれぞれ実施の形態７のステップＳ６−１、Ｓ６−２及びステップＳ６−３〜Ｓ６−７に対応するため説明を省略する。なお、第１の画面には自動制御した機器３の情報として機器３の設定に関する表示が含まれる。
【０１５２】
通知条件判定部１０４が通知すべきと判定した場合（ステップＳ８−２：はい）、制御内容生成部１１４は通知条件判定部１０４の要求に応じて、機器情報取得部１０２から状態情報を取得する。制御内容生成部１１４は取得した状態情報に基づいて、第１の画面に表示すべき機器３の設定情報を推奨設定として算出して第１の画面情報生成部１０５に送信する（ステップＳ８−３）。制御内容生成部１１４は状態情報に基づいて自動制御する機器３を決定する（ステップＳ８−４）。以下実施の形態７と同様の流れの動作となるが、第１の画面情報生成部１０５が、制御内容生成部１１４から取得した推奨設定に基づいて第１の画面情報を生成する点が異なる（ステップＳ８−６）。
【０１５３】
次に、図４２及び図４３を参照しながら端末の画面の遷移例を説明する。
【０１５４】
図４２及び図４３はそれぞれ実施の形態７における遷移例である図３９及び図４０それぞれ対応する。これらはそれぞれ第１の画面以外は同一である。よって第１の画面以外の説明は省略する。
【０１５５】
図４２及び図４３に示されるとおり、第１の画面に、自動制御の対象となった機器３である「リビングのエアコン」の設定が表示される点が実施の形態７と異なる。よってユーザは第１の画面により、自動制御の対象となった機器３である「リビングのエアコン」の設定を認識できる。
【０１５６】
以上、実施の形態８について説明をした。実施の形態８によれば、実施の形態７の場合に加えて、ユーザは端末４に表示される第１の画面によって自動制御の対象となった機器３の設定を認識できる。
【０１５７】
（実施の形態９）
以下、図４４〜図４７を参照しながら実施の形態９について説明する。また、適宜実施の形態８と比較しながら説明する。
【０１５８】
情報表示システム１０の構成は図１で示される実施の形態１の場合と同様のため省略する。
【０１５９】
図４４及び実施の形態８に係るブロック図である図３８を参照しながら情報表示制御装置１の各機能のうち実施の形態８と異なる点を説明する。
【０１６０】
第１の操作情報取得部１０７は、第１の操作情報が第２の画面へ遷移するための操作に係る情報を含むとき、実施の形態８の場合に加えて更に、機器制御部１１１に制御信号の生成を要求する。
【０１６１】
機器制御部１１１は、第１の操作情報取得部１０７から制御信号の生成の要求があるまでは制御信号を生成せず、機器３に制御信号を送信しない点が実施の形態８と異なる。
【０１６２】
次に、図４５及び実施の形態８に係るフローチャートである図４１を参照しながら情報表示制御装置１の動作を説明する。
【０１６３】
実施の形態８では通知すべきと判定したら（ステップＳ８−２：はい）、推奨設定を算出し（ステップＳ８−３）、自動制御する機器３を決定し（ステップＳ８−４）、制御信号を生成して機器３に送信してから（ステップＳ８−５）第１の画面情報を生成、送信する（ステップＳ８−６）。
【０１６４】
実施の形態９では、通知すべきと判定したら（ステップＳ９−２）、推奨設定を算出する（ステップＳ９−３）ところまでは実施の形態８と同様である。しかし、その後に第１の画面情報を生成、送信する（ステップＳ９−４）点がまず実施の形態８と異なる。そして第１の操作で第２の画面へ遷移して初めて（ステップＳ９−５：はい）、自動制御する機器３を決定し（ステップＳ９−６）、制御信号を生成して機器３に送信する（ステップＳ９−７）点も実施の形態８と異なる。
【０１６５】
また、第１の画面は、自動制御をした旨の表示ではなく、自動制御をするかどうかの問い合わせの表示を含む点も実施の形態８と異なる。ユーザによる第２の画面への遷移操作があって（ステップＳ９−５：はい）初めて制御信号を生成して送信するので（ステップＳ９−７）、実施の形態８と異なり、第１の画面が表示された時点では機器３は自動制御されていない。つまり自動制御とはいうものの、設定項目及び設定値が自動的に定まるのみであり制御をするかどうかはユーザの意思に委ねられる。
【０１６６】
次に、図４６及び図４７を参照しながら端末４の画面の遷移例を説明する。
【０１６７】
図４６及び図４７はそれぞれ実施の形態８における遷移例である図４２及び図４３にそれぞれ対応する。これらはそれぞれ第１の画面以外は同一である。よって第１の画面以外の説明は省略する。
【０１６８】
図４６及び図４７に示されるとおり、第１の画面には自動制御をするかどうかの問い合わせの表示及び自動制御する機器３と設定情報の表示が含まれる。また、「起動」ボタンの代わりに自動制御を承認する意味である「OK」ボタンが設けられている。よってユーザは第１の画面により自動制御の対象となる機器及びその設定を認識でき、また自動制御を承認するかどうかを選択できる。
【０１６９】
そしてユーザが「OK」ボタンをタップすると機器３が自動制御され、第２の画面に遷移し、実施の形態８の場合と同様の第２の画面が表示される。
【０１７０】
以上、実施の形態９について説明をした。実施の形態９によれば、実施の形態８の場合と異なり、ユーザは端末４に表示される第１の画面によって機器３に対する自動制御を承認するかどうかを選択できる。
【０１７１】
なお、実施の形態１から実施の形態９までの情報表示制御装置１において、機器との通信部１０１と端末との通信部１０６とを１つの通信部で構成してもよい。
【０１７２】
（実施の形態１０）
以下、図４８〜図５０を参照しながら実施の形態１０について説明する。また、適宜実施の形態１と比較しながら説明する。
【０１７３】
まず、図４８を参照しながら情報表示システム１０の構成を説明する。情報表示システム１０は情報表示制御装置１と端末４とサーバ６とを備え、情報表示制御装置１と端末４とサーバ６とが通信ネットワークを介して接続されている。また、情報表示制御装置１は宅内に設置され、宅内の電力計測装置２及び機器３と接続されている。
【０１７４】
図４８では情報表示制御装置１、端末４、サーバ６がそれぞれ異なったネットワーク内に属しており、互いにルータ５を介して接続されている場合を示しているが、これらの一部もしくは全部が同一ネットワーク内に属していてもよい。全部が同一ネットワーク内に属している場合、ルータ５がなくとも互いに接続され、互いに通信可能となるためルータ５は不要となる。よってルータ５は必ずしも情報表示システム１０に必須のものではない。
【０１７５】
実施の形態１では情報表示制御装置１が直接端末４と通信するのに対し、実施の形態１０では情報表示制御装置１は直接端末４とは通信せず、代わりにサーバ６と通信を行う点が異なる。そしてサーバ６は情報表示制御装置１から取得した第１の画面情報及び第２の画面情報を端末４に転送し、端末４から取得した第１の操作情報を情報表示制御装置１に転送する。
【０１７６】
換言すると、実施の形態１０では、実施の形態１における情報表示制御装置１の形態を情報表示制御装置１及びサーバ６の２つの装置を組み合わせて実現するといえる。つまり、情報表示制御装置１とサーバ６を組み合わせて情報表示制御システムを構築するものといえる。情報表示制御装置１、サーバ６及び端末４はそれぞれ別ネットワーク内に属してもよいため、例えばインターネットを介して情報表示システム１０を構築することができる。それによりユーザは外出中でも端末４を用いてインターネット経由で宅内の環境を確認でき、第２の画面への遷移操作により詳細情報を確認できる。
【０１７７】
図４９に示されるとおり、情報表示制御装置１の各機能は図２に示される実施の形態１と基本的には同様であるが、端末との通信部１０６の代わりにサーバとの通信部１６０を備える点が実施の形態１と異なる。
【０１７８】
一方、図５０に示されるサーバ６は、情報表示制御装置１と通信を行う情報表示制御装置との通信部６０１と、端末４との通信を行う端末との通信部６０２と、情報表示制御装置１から取得した第１の画面情報を端末４に転送する第１の画面情報転送部６０３と、情報表示制御装置１から取得した第２の画面情報を端末４に転送する第２の画面情報転送部６０４と、端末４から取得した第１の操作情報を情報表示制御装置１に転送する第１の操作情報転送部６０５と、を備える。
【０１７９】
動作の流れについては、情報表示制御装置１がサーバ６を介して間接的に端末４と通信をするという点以外は図３に示されるフローチャートによる実施の形態１の流れと同様であるため説明を省略する。また、画面遷移についても図４及び図５で示される実施の形態１に係る遷移図と同様であるため説明を省略する。
【０１８０】
以上、実施の形態１０について説明をした。実施の形態１０によれば、ユーザは例えばインターネット経由で宅内の環境及び詳細情報を確認できる。
【０１８１】
なお、上述の説明では実施の形態１に対応する形態のみを説明したが、実施の形態１０の形態はこれに限られない。すなわち、上述の実施の形態２〜９の各形態についても同様に情報表示制御装置１とサーバ６と端末４との組み合わせにより実現が可能である。なお図４９において、機器との通信部１０１とサーバとの通信部１６０とを１つの通信部で構成してもよい。同様に図５０において、情報表示制御装置との通信部６０１と端末との通信部６０２とを１つの通信部で構成してもよい。
【０１８２】
また、上述の説明の例ではサーバ６は情報表示制御装置１と端末４との間の通信を橋渡しするための最低限の機能のみを備えるが、情報表示制御装置１の機能のうちの一部をサーバ６が実行する形態であってもよい。例えば図５１に示されるとおり、情報表示制御装置１は機器との通信部１０１、機器情報取得部１０２及びサーバとの通信部１６０のみを備え、他の機能はサーバ６が備えてもよい。この場合、機器情報取得部１０２が取得した状態情報はサーバとの通信部１６０を介してサーバ６に送信されることとなる。情報表示制御装置１の機能が限定されることにより情報表示制御装置１の構成を小さくすることができる。また、情報表示制御装置１とサーバ６間で通信される情報は状態情報のみとなるため、ユーザが端末４を使用する際に発生する通信を最小限とすることができる。なお図５１において、機器との通信部１０１とサーバとの通信部１６０とを１つの通信部で構成してもよい。
【０１８３】
（実施の形態１１）
以下、図５２を参照しながら実施の形態１１について説明する。また、適宜実施の形態１及び１０と比較しながら説明する。
【０１８４】
まず、図４８を参照しながら情報表示システム１０の構成を説明する。情報表示システム１０は端末４とサーバ６とを備え、端末４とサーバ６とが通信ネットワークを介して接続されている。また、宅内の電力計測装置２及び機器３も通信ネットワークを介してサーバ６と接続されている。宅内に情報表示制御装置１が存在せず、電力計測装置２及び機器３も通信ネットワークを介してサーバ６と接続されている点が実施の形態１０と異なる。
【０１８５】
なお、図５２では電力計測装置２及び機器３が通信ネットワークを介して端末４とも接続されているが、これらは特段端末４との接続を要しない。
【０１８６】
サーバ６は、実施の形態１における情報表示制御装置１の各機能部の機能を全て備える。つまりサーバ６は、電力計測装置２、機器３及び端末４がそれぞれサーバ６と異なったネットワークに属していても機能する形態の情報表示制御装置１ともいえる。
【０１８７】
サーバ６は通信ネットワークを介して各装置と接続されているという点以外は実施の形態１と同様のため、各機能の説明、動作説明及び画面遷移の説明は省略する。
【０１８８】
以上、実施の形態１１について説明をした。実施の形態１１によれば、実施の形態１０と同様、ユーザは例えばインターネット経由で宅内の環境及び詳細情報を確認できる。
【０１８９】
なお、上述の説明では実施の形態１に対応する形態のみを説明したが、実施の形態１１の形態がこれに限られない点は実施の形態１０と同様である。すなわち、上述の実施の形態２〜９の各形態についても同様にサーバ６が各形態における情報表示制御装置１の各機能を備えることにより実現が可能である。
【０１９０】
（ハードウェア構成）
図７２は、本発明の実施の形態１〜１１に係る情報表示制御装置１及びサーバ６のハードウェア構成例を示す図である。情報表示制御装置１及びサーバ６はプロセッサ７１とメモリ７２とインタフェース７３とを備える。
【０１９１】
プロセッサ７１はメモリ７２に格納されるプログラムを実行するCPU（Central Processing Unit）である。メモリ７２はRAM（Random Access Memory）、ROM（Read-Only Memory）、フラッシュメモリ、磁気ディスク等の記憶装置である。インタフェース７３は例えば各種I/Oポート（Input / Output Port）である。
【０１９２】
以下、実施の形態１の場合について説明するが、他の実施の形態についても同様である。
【０１９３】
情報表示制御装置１の各機能部のうち、機器情報取得部１０２、通知条件判定部１０４、第１の画面情報生成部１０５、第１の操作情報取得部１０７及び第２の画面情報生成部１０８はそれぞれプロセッサ７１がメモリ７２に格納されるプログラムを実行することにより実現される。設定記憶部１０３はメモリ７２により実現される。機器との通信部１０１及び端末との通信部１０６はそれぞれインタフェース７３により実現される。
【０１９４】
プロセッサ７１がプログラムを実行することにより実現される各機能はソフトウェア、ファームウェアまたはソフトウェアとファームウェアの組み合わせにより実現される。ソフトウェア及びファームウェアはプログラムとして記述され、メモリ７２に格納される。
【０１９５】
その他、上述のハードウェア構成やフローチャートは一例であり、任意に変更及び修正が可能である。いずれにせよ、ハードウェアとプログラムが協働して上述の各実施の形態を実現できるものであればよい。
【符号の説明】
【０１９６】
１  情報表示制御装置、２  電力計測装置、３  機器、４  端末、５  ルータ、６  サーバ、１０  情報表示システム、７１  プロセッサ、７２  メモリ、７３  インタフェース、１０１  機器との通信部、１０２  機器情報取得部、１０３  設定記憶部、１０４  通知条件判定部、１０５  第１の画面情報生成部、１０６  端末との通信部、１０７  第１の操作情報取得部、１０８  第２の画面情報生成部、１０９  制御機器情報抽出部、１１０  第２の操作情報取得部、１１１  機器制御部、１１２  第３の画面情報生成部、１１３  第３の操作情報取得部、１１４  制御内容生成部、１６０  サーバとの通信部、６０１  情報表示制御装置との通信部、６０２  端末との通信部、６０３  第１の画面情報転送部、６０４  第２の画面情報転送部、６０５  第１の操作情報転送部
【図１】
2018191082.tif 000003
【図２】
2018191082.tif 000004
【図３】
2018191082.tif 000005
【図４】
2018191082.tif 000006
【図５】
2018191082.tif 000007
【図６】
2018191082.tif 000008
【図７】
2018191082.tif 000009
【図８】
2018191082.tif 000010
【図９】
2018191082.tif 000011
【図１０】
2018191082.tif 000012
【図１１】
2018191082.tif 000013
【図１２】
2018191082.tif 000014
【図１３】
2018191082.tif 000015
【図１４】
2018191082.tif 000016
【図１５】
2018191082.tif 000017
【図１６】
2018191082.tif 000018
【図１７】
2018191082.tif 000019
【図１８】
2018191082.tif 000020
【図１９】
2018191082.tif 000021
【図２０】
2018191082.tif 000022
【図２１】
2018191082.tif 000023
【図２２】
2018191082.tif 000024
【図２３】
2018191082.tif 000025
【図２４】
2018191082.tif 000026
【図２５】
2018191082.tif 000027
【図２６】
2018191082.tif 000028
【図２７】
2018191082.tif 000029
【図２８】
2018191082.tif 000030
【図２９】
2018191082.tif 000031
【図３０】
2018191082.tif 000032
【図３１】
2018191082.tif 000033
【図３２】
2018191082.tif 000034
【図３３】
2018191082.tif 000035
【図３４】
2018191082.tif 000036
【図３５】
2018191082.tif 000037
【図３６】
2018191082.tif 000038
【図３７】
2018191082.tif 000039
【図３８】
2018191082.tif 000040
【図３９】
2018191082.tif 000041
【図４０】
2018191082.tif 000042
【図４１】
2018191082.tif 000043
【図４２】
2018191082.tif 000044
【図４３】
2018191082.tif 000045
【図４４】
2018191082.tif 000046
【図４５】
2018191082.tif 000047
【図４６】
2018191082.tif 000048
【図４７】
2018191082.tif 000049
【図４８】
2018191082.tif 000050
【図４９】
2018191082.tif 000051
【図５０】
2018191082.tif 000052
【図５１】
2018191082.tif 000053
【図５２】
2018191082.tif 000054
【図５３】
2018191082.tif 000055
【図５４】
2018191082.tif 000056
【図５５】
2018191082.tif 000057
【図５６】
2018191082.tif 000058
【図５７】
2018191082.tif 000059
【図５８】
2018191082.tif 000060
【図５９】
2018191082.tif 000061
【図６０】
2018191082.tif 000062
【図６１】
2018191082.tif 000063
【図６２】
2018191082.tif 000064
【図６３】
2018191082.tif 000065
【図６４】
2018191082.tif 000066
【図６５】
2018191082.tif 000067
【図６６】
2018191082.tif 000068
【図６７】
2018191082.tif 000069
【図６８】
2018191082.tif 000070
【図６９】
2018191082.tif 000071
【図７０】
2018191082.tif 000072
【図７１】
2018191082.tif 000073
【図７２】
2018191082.tif 000074